(57)【要約】【課題】従来よりも容易に使用状態又は折畳状態とすることができるスタックテーブルに関する技術を提供する。【解決手段】使用状態と折畳状態とに変更自在なスタックテーブルであって、使用状態において水平状態となり、折畳状態において起立状態となる天板と、前記天板の裏側の両側に設けられ、当該天板を支持する脚と、前記天板の裏側に固定され、前記天板が水平状態又は起立状態となるように、前記脚の上部と回動自在に接続されるとともに、当該天板を水平状態又は起立状態に維持するロック機構と、前記ロック機構と接続され、当該スタックテーブルを前記使用状態又は前記折畳状態に変更するレバーと、を備え、前記レバーは、本体部の基端が前記ロック機構と回動自在に接続され、本体部の先端に、当該レバーの操作方法を示す表示が付された平坦部であって、当該スタックテーブルが折畳状態において上方を指す平坦部を有する。【選択図】図１
2015092905.tif 000002
【特許請求の範囲】
【請求項１】
使用状態と折畳状態とに変更自在なスタックテーブルであって、
使用状態において水平状態となり、折畳状態において起立状態となる天板と、
前記天板の裏側の両側に設けられ、当該天板を支持する脚と、
前記天板の裏側に固定され、前記天板が水平状態又は起立状態となるように、前記脚の上部と回動自在に接続されるとともに、当該天板を水平状態又は起立状態に維持するロック機構と、
前記ロック機構と接続され、当該スタックテーブルを前記使用状態又は前記折畳状態に変更するレバーと、を備え、
前記レバーは、本体部の基端が前記ロック機構と回動自在に接続され、本体部の先端に、当該レバーの操作方法を示す表示が付された平坦部であって、当該スタックテーブルが折畳状態において上方を指す平坦部を有する
スタックテーブル。
【請求項２】
前記レバーは、プレート状であり、前記本体部の先端が折り曲げられることで前記平坦部が形成されている、請求項１に記載のスタックテーブル。
【請求項３】
前記レバーは、前記天板の裏面と対向するように、当該天板の裏側に前記ロック機構と接続され、前記本体部のうち、少なくとも前記天板と対向する面と反対側の面には複数の凹部又は凸部が設けられている
請求項１又は２に記載のスタックテーブル。
【請求項４】
使用状態と折畳状態とに変更自在なスタックテーブルのレバーであって、
前記スタックテーブルは、
使用状態において水平状態となり、折畳状態において起立状態となる天板と、
前記天板の裏側の両側に設けられ、当該天板を支持する脚と、
前記天板の裏側に固定され、前記天板が水平状態又は起立状態となるように、前記脚の上部と回動自在に接続されるとともに、当該天板を水平状態又は起立状態に維持するロック機構と、
前記ロック機構と接続され、当該スタックテーブルを前記使用状態又は前記折畳状態に変更するレバーと、を備え、
前記レバーは、本体部の基端が前記ロック機構と回動自在に接続され、本体部の先端に、当該レバーの操作方法を示す表示が付された平坦部であって、当該スタックテーブルが折畳状態において上方を指す平坦部を有する
レバー。
【発明の詳細な説明】
【技術分野】
【０００１】
本発明は、スタックテーブル、及びレバーの技術に関する。
【背景技術】
【０００２】
天板を水平状態と垂直状態とに変更自在であり、天板を垂直状態とすることで複数のテーブルを水平方向に重ねて並べることができるスタックテーブルがある。例えば、特許文献１には、天板を垂直にして平行に重ね合わせて収納することができる平行スタックテーブルが開示されている。
【先行技術文献】
【特許文献】
【０００３】
【特許文献１】登録実用新案第３０５６７８８号公報
【発明の概要】
【発明が解決しようとする課題】
【０００４】
スタックテーブルと称される、テーブルを使用状態（例えば、天板が水平状態若しくはこれに近い状態）と折畳状態（例えば、天板が垂直状態若しくはこれに近い状態）とに変更自在であり、折畳状態とすることで複数のスタックテーブルを水平方向に重ねて並べることができるテーブルがある。スタックテーブルには、平行スタックテーブルと称されるもの、サイドスタックテーブルと称されるものがある。所謂平行スタックテーブルは、天板を折畳状態として複数のスタックテーブルを重ねて並べる際、複数のスタックテーブルを奥行き方向に一直線に重ねて並べることができる。所謂サイドスタックテーブルは、天板を折畳状態として複数のスタックテーブルを重ねて並べる際、隣接するスタックテーブルを少なくとも脚の幅分だけテーブルの幅方向にずらしながらスタックテーブルの奥行き方向に重ねて並べることができる。
【０００５】
スタックテーブルは、上記のように使用状態と折畳状態とに変更自在であるが、この変更は使用者が行う必要がある。スタックテーブルには、使用状態又は折畳状態を解除するためのレバーなどの操作部が設けられており、使用者は、この操作部を操作して、スタックテーブルを使用状態又は折畳状態とする。ここで、操作部は天板の裏側に設けられていることが多いため、従来のスタックテーブルは、使用者が操作部を見つけ難いことが懸念されていた。また、従来のスタックテーブルは、操作部を見つけることができても、どの方向に引くのか若しくは押すのかなど、操作方法が分かり難いことが懸念されていた。また、より簡単な操作で使用状態又は折畳状態とすることができるスタックテーブルの開発が望まれていた。
【０００６】
本発明は、上記の問題に鑑み、従来よりも容易に使用状態又は折畳状態とすることができるスタックテーブルに関する技術を提供することを課題とする。
【課題を解決するための手段】
【０００７】
本発明は、上述した課題を解決するため、レバー（操作部）の本体部の先端に、レバーの操作方法を示す表示が配置される平坦部であって、スタックテーブルが折畳状態において上方を指す平坦部を設けることとした。
【０００８】
詳細には、本発明は、使用状態と折畳状態とに変更自在なスタックテーブルであって、使用状態において水平状態となり、折畳状態において起立状態となる天板と、前記天板の裏側の両側に設けられ、当該天板を支持する脚と、前記天板の裏側に固定され、前記天板
が水平状態又は起立状態となるように、前記脚の上部と回動自在に接続されるとともに、当該天板を水平状態又は起立状態に維持するロック機構と、前記ロック機構と接続され、当該スタックテーブルを前記使用状態又は前記折畳状態に変更するレバーと、を備え、前記レバーは、本体部の基端が前記ロック機構と回動自在に接続され、本体部の先端に、当該レバーの操作方法を示す表示が付された平坦部であって、当該スタックテーブルが折畳状態において上方を指す平坦部を有する。
【０００９】
本発明に係るスタックテーブルは、スタックテーブルを使用状態又は折畳状態に変更するレバーの先端に平坦部が設けられている。この平坦部は、レバーの操作方法を示す表示が付され、スタックテーブルが折畳状態において上方を指している。そのため、特にスタックテーブルが折畳状態において、レバーの平坦部は使用者の目につきやすく、使用者はレバーの存在を直ちに確認できるとともに、レバーの操作方法も合わせて理解することができる。上方を指すとは、平坦部の面が水平状態若しくはこれに近い状態であり、平坦部の面が上方を向いていることを意味する。また、レバーの平坦部は、使用者がレバーの本体部を把持した際に把持した手が本体部から離脱するのを抑制することができる。以上により、本発明に係るスタックテーブルによれば、従来よりも容易に使用状態又は折畳状態とすることができる。
【００１０】
使用状態では、天板が水平状態となる。水平状態は、天板が厳密に水平である必要は無く、例えば、天板上に筆記具等を置くことができるような状態であればよく、傾斜した状態も含む。折畳状態では、天板が起立状態となる。起立状態は、天板が厳密に垂直である必要は無く、水平状態と比較して天板が起立することで、天板の奥行長さが短くなり、スタックテーブルを水平方向に重ねて並べることが可能な状態を含む。天板が垂直になることで天板の奥行長さが最も短くなるが、天板は傾いていてもよい。スタックテーブルは、天板を折畳状態として複数のスタックテーブルを重ねて並べる際、複数のスタックテーブルを奥行き方向に一直線に重ねて収容することができる、所謂平行スタックテーブルとすることができる。また、スタックテーブルは、天板を折畳状態として複数のスタックテーブルを重ねて並べる際、隣接するスタックテーブルを少なくとも脚の幅分だけスタックテーブルの幅方向にずらしながらスタックテーブルの奥行き方向に重ねて並べることができる、所謂サイドスタックテーブルとすることができる。
【００１１】
レバーは、例えば基端を軸に回動させ、平坦部が設けられた先端側を天板側に近づけることで、ロック機構のロック状態を解除する構成とすることができる。平坦部のレバーの操作方法を示す表示は、例えば、レバーの先端側を天板側に近づけることを示す、矢印、絵、文字、記号等によって構成することができる。また、レバーは、天板の裏面と異なる色にすることで、使用者は、レバーの位置やレバーの操作方法をより簡単に理解することができる。
【００１２】
ここで、一例として、前記レバーは、プレート状であり、前記本体部の先端が折り曲げられることで前記平坦部が形成された構成としてもよい。プレート状とすることで、例えば棒状の場合と比較してレバーの表面積が多くなり、レバーがより目立つようになり、使用者は、レバーの位置やレバーの操作方法をより簡単に理解することができる。また、レバーの表面積が多くなることで、把持しやすくなり、操作性も向上する。
【００１３】
また、一例として、前記レバーは、前記天板の裏面と対向するように、当該天板の裏側に前記ロック機構と接続され、前記本体部のうち、少なくとも前記天板と対向する面と反対側の面には複数の凹部又は凸部が設けられた構成としてもよい。レバーは、天板の両側に設けてもよく、また、片側に設けてもよい。凹部又は凸部は、滑り止めとして機能し、レバーが把持しやすくなり、操作性がより向上する。凹部又は凸部は、円形、多角形、ライン形状等とすることができる。また、レバーは、本体部を湾曲させてもよい。例えば、
本体部を天板から離れる方向に膨らむように湾曲させることで、レバーを平面とした場合と比較して、レバーと天板との間の隙間を増やすことができる。その結果、例えばレバーと天板との間に手を挟み難くなる。
【００１４】
また、本発明に係るスタックテーブルは、天板の奥側に設けられた幕板を更に備える構成としてもよい。また、本発明に係るスタックテーブルは、脚の下部にキャスターを備える構成でもよい。また、本発明に係るスタックテーブルは、脚の下部にスタックテーブルの高さを調整するアジャスターを備える構成でもよい。また、本発明に係るスタックテーブルは、キャスターとアジャスターの双方を備える構成でもよい。
【００１５】
ここで、本発明は、上述したスタックテーブルのレバーとして特定することもできる。例えば、本発明は、使用状態と折畳状態とに変更自在なスタックテーブルのレバーであって、前記スタックテーブルは、使用状態において水平状態となり、折畳状態において起立状態となる天板と、前記天板の裏側の両側に設けられ、当該天板を支持する脚と、前記天板の裏側に固定され、前記天板が水平状態又は起立状態となるように、前記脚の上部と回動自在に接続されるとともに、当該天板を水平状態又は起立状態に維持するロック機構と、前記ロック機構と接続され、当該スタックテーブルを前記使用状態又は前記折畳状態に変更するレバーと、を備え、前記レバーは、本体部の基端が前記ロック機構と回動自在に接続され、本体部の先端に、当該レバーの操作方法を示す表示が付された平坦部であって、当該スタックテーブルが折畳状態において上方を指す平坦部を有するレバーである。
【発明の効果】
【００１６】
本発明によれば、従来よりも容易に使用状態又は折畳状態とすることができるスタックテーブルに関する技術を提供することができる。
【図面の簡単な説明】
【００１７】
【図１】図１は、実施形態に係る使用状態のサイドスタックテーブルを奥側から見た斜視図を示す。
【図２】図２は、実施形態に係る使用状態のサイドスタックテーブルを手前側から見た斜視図を示す。
【図３】図３は、実施形態に係る折畳状態のサイドスタックテーブルを奥側から見た斜視図を示す。
【図４】図４は、実施形態に係る折畳状態のサイドスタックテーブルを手前側から見た斜視図を示す。
【図５】図５は、実施形態に係る使用状態のサイドスタックテーブルの側面図を示す。
【図６】図６は、実施形態に係る折畳状態のサイドスタックテーブルの側面図を示す。
【図７】図７は、実施形態に係る折畳状態のサイドスタックテーブルを重ねた状態の斜視図を示す。
【図８】図８は、実施形態に係る折畳状態のサイドスタックテーブルを重ねた状態の側面図を示す。
【図９】図９は、実施形態に係るサイドスタックテーブルのレバーを上方側から見た斜視図を示す。
【図１０】図１０は、実施形態に係るサイドスタックテーブルのレバーを下方側から見た斜視図を示す。
【図１１】図１１は、実施形態に係るサイドスタックテーブルのレバーの平坦部の正面図を示す。
【図１２】図１２は、実施形態に係るサイドスタックテーブルを使用状態から折畳状態へ変更する動作を説明する図を示す。
【図１３】図１３は、実施形態に係る解除状態のリフトアップキャスターを手前側から見た斜視図を示す。
【図１４】図１４は、実施形態に係る解除状態のリフトアップキャスターを奥側から見た斜視図を示す。
【図１５】図１５は、実施形態に係る固定状態のリフトアップキャスターを手前側から見た斜視図を示す。
【図１６】図１６は、実施形態に係る固定状態のリフトアップキャスターを奥側から見た斜視図を示す。
【図１７】図１７は、実施形態に係る解除状態のリフトアップキャスターを幅方向に切断した縦断面図を示す。
【図１８】図１８は、実施形態に係る解除状態のキャスターを奥行き方向に切断した縦断面図を示す。
【図１９】図１９は、実施形態に係るキャスターを解除状態から固定状態へ変更する動作を説明する図を示す。
【図２０】図２０は、変形例１に係る固定状態のリフトアップキャスターを手前側から見た斜視図を示す。
【図２１】図２１は、変形例２に係る固定状態のリフトアップキャスターを手前側から見た斜視図を示す。
【図２２】図２２は、変形例３に係る固定状態のリフトアップキャスターを手前側から見た斜視図を示す。
【図２３】図２３は、変形例４に係る固定状態のリフトアップキャスターを手前側から見た斜視図を示す。
【図２４】図２４は、変形例５に係る固定状態のリフトアップキャスターを手前側から見た斜視図を示す。
【図２５】図２５は、変形例６に係る固定状態のリフトアップキャスターを手前側から見た斜視図を示す。
【発明を実施するための形態】
【００１８】
次に、本発明の実施形態について図面に基づいて説明する。なお、以下で説明する実施形態は本発明を実施するための例示であり、本発明は以下で説明する態様に限定されない。
【００１９】
＜実施形態＞
＜概要＞
実施形態に係るサイドスタックテーブル１は、図１、図２、図５に示すような使用状態と、図３、図４、図６に示すような折畳状態とに変更自在である。また、実施形態に係るサイドスタックテーブル１は、図７、図８に示すように、折畳状態では、水平方向に重ねて並べることができる。サイドスタックテーブル１の側面かつ、天板２の裏側に設けられたレバー５を操作することで、使用状態から折畳状態への変更、又は折畳状態から使用状態への変更が可能である。また、実施形態に係るサイドスタックテーブル１は、リフトアップキャスター７ａを備えており、リフトアップレバー７１を操作することで、固定状態から解除状態、又は解除状態から固定状態への変更が可能である。以下、本明細書では、特に言及する場合を除いて、サイドスタックテーブル１の幕板６側を“奥側”と定義し、反対側を“手前側”と定義し、奥側から手前側への方向と直交する方向を“側方”と定義する。また、サイドスタックテーブル１の天板２側を“上方”と定義し、脚３側を“下方”と定義する。
【００２０】
＜構成＞
実施形態に係るサイドスタックテーブル１は、天板２、脚３、ロック機構４、レバー５、幕板６、キャスター７を備える。
【００２１】
天板２は、長方形であり、幅方向（長手方向）の両側に設けられた脚３によって支持されている。詳細には、天板２は、天板２の裏面に固定されたロック機構４を介して脚３と接続され、脚３によって支持されている。天板２は、図１、図２、図５に示すような使用状態では、水平状態となる。水平状態は、天板２が厳密に水平である必要は無く、例えば、天板２上に筆記具等を置くことができるような状態であればよい。したがって、例えば、天板２は、手前側（幕板６の反対側）が奥側よりも低くなるように傾斜していてもよい。また、天板２は、図３、図４、図６に示すような折畳状態では、起立状態となる。起立状態は、天板２が厳密に垂直である必要は無く、水平状態と比較して天板２が起立することで、天板の奥行長さが短くなり、サイドスタックテーブル１を水平方向に重ねて並べることが可能な状態を含む。天板２が垂直になることで天板の奥行長さが最も短くなるが、本実施形態のように天板２は傾いていてもよい。
【００２２】
脚３は、天板２を支持する。脚３は、天板２の両側に設けられた２本の支柱３１と、各支柱３１の下端と接続された、奥行き方向に延びる水平部材３２によって構成されている。水平部材３２の両端には、キャスター７が接続されている。支柱３１の上端近傍には、ヒンジ３３が設けられ、このヒンジ３３を介して、天板２が固定されたロック機構４が回動自在に接続されている。実施形態に係る脚３は、支柱３１、水平部材３２ともに断面が矩形であるが、円形など他の形状でもよい。また、実施形態に係る脚３は、一例にすぎず、支柱が傾斜しているもの、支柱が分岐して逆Ｙ字型のものなど、公知の脚を適宜用いることができる。
【００２３】
ロック機構４は、天板２の裏側に固定され、天板２が使用状態又は折畳状態となるように、脚３の支柱３１の上端近傍に設けられたヒンジ３３と回動自在に接続されるとともに、天板２を使用状態又は固定状態に維持する。図１２に示すように、ロック機構４は、カバー４１で覆われ、内部には、溝４２を有する係止フック４３、第一係止ピン４４、第二係止ピン４５、コイルばね４６、連結部材４７、軸棒４８が設けられている。係止フック４３は、レバー５の操作と連動して、軸棒４８を軸に回動自在である。係止フック４３は、溝４２が第一係止ピン４４と係合することで、使用状態を維持する。また、係止フック４３は、溝４２が第二係止ピン４５と係合することで、折畳状態を維持する。係止フック４３はコイルばね４６により第一係止ピン４４及び第二係止ピン４５方向に付勢されており、使用状態又は折畳状態が維持できるように構成されている。軸棒４８は、サイドスタックテーブルの幅方向に延びており、両側の係止フック４３は連動して回動する。
【００２４】
図５、図６、図９から図１１等に示すように、レバー５は、サイドスタックテーブル１を使用状態又は折畳状態に変更する。レバー５は、本体部５１の基端５２がロック機構４と回動自在に接続され、本体部５１の先端５３に、レバー５の操作方法を示す表示５４が付された平坦部５５であって、サイドスタックテーブル１が折畳状態において上方を指す平坦部５５を有している。上方を指すとは、平坦部５５の面が水平状態若しくはこれに近い状態であり、平坦部５５の面が上方を向いていることを意味する。実施形態に係るレバー５は、プレート状であり、本体部５１が天板２から離れる方向に膨らむように湾曲し、また、本体部５１の先端５３が折り曲げられることで平坦部５５が形成されている。平坦部５５には、表示５４として、三角形と四角形が組み合わされ、全体として矢印をイメージさせるピクトグラムが印刷されている。三角形の頂点、換言すると矢印は、天板２の裏面を指しており、レバー５の操作方法として、レバー５の操作方向が天板２の裏面側に向かう方向であることが直ちに理解できるよう構成されている。また、平坦部５５は、使用状態では、面が水平方向よりもやや上方を指し、折畳状態では面が上方を指している。上方を指すとは、上記のように、平坦部５５の面が水平状態若しくはこれに近い状態であり、水平方向よりもやや上方を指すとは、平坦部５５の面が垂直状態よりもやや傾いた状態であり、平坦部５５の面が水平方向よりもやや上を向いていることを意味する。また、レ
バー５は、ロック機構４のカバー４１がグレーであるのに対し、オレンジ色で構成され、他の部材と識別し易いように構成されている。また、レバー５は、天板２の裏面と対向するように、天板２の裏側の両側にロック機構４と接続され、本体部５１のうち、天板２と対向する面と反対側の面には複数の円形の凸部５６が設けられている。
【００２５】
図１から図６等に示すように、幕板６は、長方形であり、サイドスタックテーブル１の奥側を覆う。実施形態に係る幕板６は、床から天板２までのうち、凡そ上半分を覆うよう構成されている。また、幕板６は、上端の両側がロック機構４のカバー４１の奥側に形成された幕板用上部ヒンジ６１と結合されている。また、幕板６は、下端の両側が支柱３１と連結された幕板用支持棒６２と回動自在に接続されている。幕板用支持棒６２は、一端が支柱３１と回動自在に接続され、他端が幕板６の下端と回動自在に接続されている。そのため、幕板６は、天板２に連動して移動自在であり、使用状態では、天板２と凡そ直交するが、折畳状態では、天板２と隣接して天板２と平行状態となる。また、実施形態に係る幕板６には、リフトアップレバー７１に形成された球面状の窪み７２の平面形状に合わせて、奥行側に突出した円形の突出部６３が複数形成されている。
【００２６】
実施形態に係るキャスター７は、水平部材３２の手前側端部に接続された、固定状態と解除状態を有するストッパ機能を有するリフトアップキャスター７ａと、水平部材３２の奥側端部に接続された、ストッパ機能を有さない通常のキャスター７ｂの２種類のキャスターが用いられている。後者は、汎用のキャスターのため、説明は割愛する。リフトアップキャスター７ａは、図１３、図１４に示すように、車輪が自由に回転できる解除状態と、図１５、図１６に示すように、キャスターをロックした（車輪の回転が規制される）固定状態とを有する。
【００２７】
図１３から図１９等に示すように、リフトアップキャスター７ａは、取付ボルト７２、アジャスター７３、車輪７４、リフトアップレバー７１、ストップパッド７５を備える。取付ボルト７２は、脚３の水平部材３２の下面に設けられたボルト孔（図示せず）に接続される。アジャスター７３は、取付ボルト７２に固定され、上下方向に移動させることで、最終的に天板２の高さ位置の調節を可能とする。実施形態に係るアジャスター７３は、円盤形状であり、中心には取付ボルト７２に螺合する貫通孔が設けられ、周面には滑り止めとして機能する縦溝が複数形成されている。アジャスター７３を時計回りに回転させるとアジャスター７３が上方に移動し、移動前と比較して、天板２を高くすることができる。また、アジャスター７３を反時計回りに回転させるとアジャスター７３が下方に移動し、移動前と比較して、天板２を低くすることができる。
【００２８】
車輪７４は、リフトアップレバー７１及びストップパッド７５の両側に２つ設けられ、回転軸７６を中心に回動自在である。
【００２９】
リフトアップレバー７１は、回転軸７６を中心に、車輪７４とは独立して回動自在である。リフトアップレバー７１は、非露出部分が、リフトアップキャスター７ａの内部において、リンク機構（図示せず）を介してストップパッド７５と接続されている。そのため、リフトアップレバー７１の回動に伴って、ストップパッド７５の昇降が可能となる。リフトアップレバー７１（露出部分）は、プレート状であり、表面には球形状の窪み７７が形成されている。この球形状の窪み７７は、手指で操作させることを意図するもので、窪み７７に手の指先が収まることで、容易にリフトアップレバー７１を押し下げることが可能となる。また、リフトアップレバー７１の裏面の先端には、下方に突出した突起７８が形成されている。この突起７８も手指で操作させることを意図するもので、突起７８に指先が引っ掛かることで、容易にリフトアップレバーを押し上げることが可能となる。リフトアップレバー７１は、解除状態では、斜め上方を指している。リフトアップレバー７１は、固定状態では、斜め下方を指すが、リフトアップレバー７１と床面との間には、手指
を挿入するのに十分な空間が形成されている。そのため、リフトアップレバー７１は、容易に押し上げることができる。また、リフトアップレバー７１は、黒色のリフトアップキャスター７ａに対してオレンジ色で構成されており、周囲から識別し易くなっている。
【００３０】
ストップパッド７５は、リフトアップレバー７１の回動に伴って昇降自在である。ストップパッド７５は、リフトアップレバー７１が斜め上方を指す解除状態では、パッド面７９が車輪７４の最下部よりも上方に位置する。一方、ストップパッド７５は、リフトアップレバー７１が斜め下方を指す固定状態では、パッド面７９が車輪７４の最下部よりも下方に位置し、床面と接する。つまり、固定状態では、ストップパッド７５のパッド面７９が床面と接し、車輪７４は空中に浮いた状態となる。
【００３１】
また、リフトアップキャスター７ａの周面のうち、リフトアップレバー７１を固定状態とした場合に露出する領域には、操作方法を示す矢印表示８０が付されている。なお、上述したリフトアップキャスター７ａのうち、リフトアップレバー７１（露出部分）、及び矢印表示以外については、既存のリフトアップキャスター７ａの構成を採用することができる。したがって、リフトアップレバー７１とストップパッド７５を接続するリンク機構を含め、リフトアップキャスター７ａの内部構造の詳細については割愛する。
【００３２】
＜動作＞
次に、実施形態に係るサイドスタックテーブル１の動作について、使用方法と共に説明する。実施形態に係るサイドスタックテーブル１は、テーブルとして使用する使用状態では、図１、図２に示すように、天板２を水平状態にして使用する。一方で、サイドスタックテーブル１を収容する場合には、図３、図４に示すように、実施形態に係るサイドスタックテーブル１は、天板２が起立した折畳状態とすることができる。折畳状態では天板２が起立することから、サイドスタックテーブル１は、図７、図８に示すように、天板２が重なるように、サイドスタックテーブル１同士を接近させて並べることができる。なお、サイドスタックテーブル１は、所謂平行スタックテーブルと異なり、奥行き方向に一直線上に並べることはできず、隣接するサイドスタックテーブル１を少なくとも脚３の水平部材３２の幅分だけサイドスタックテーブル１の幅方向にずらしながら奥行き方向に重ねて並べることができる。
【００３３】
使用状態から折畳状態への変更、折畳状態から使用状態への変更は、サイドスタックテーブル１の両側に設けられたレバー５を操作することで行う。以下、図１２に基づいて、使用状態から折畳状態への変更を例に説明する。図１２の左上図に示すように、使用状態では、係止フック４３の溝４２が第一係止ピン４４と係合している。係止フック４３は、コイルばね４６により第一係止ピン４４の方向に付勢されており、使用状態が維持されている。ここで、レバー５の先端５３が天板２の裏面側に近づくように、レバー５を操作すると、連結部材４７を介して係止フック４３が回動し始め、係止フック４３の溝４２と第一係止ピン４４の係合が徐々に解除される。そして、係止フック４３の溝４２と第一係止ピン４４の係合が完全に解除されると、天板２の回動が自在となる。そこで、天板２の手前側を上方に移動させるか、若しくは、天板２の奥側（幕板６側）を下方に移動させることで、天板２は、支柱３１の上端近傍に設けられたヒンジ３３を中心に回動し、徐々に起立した状態となる。また、幕板６は、ロック機構４、及び支柱３１と連結された幕板用支持棒６２と回動自在に接続されており、天板２に連動して移動し、折畳状態では、天板２と隣接して天板２と平行状態となる。
【００３４】
図１２の右下図に示すように、係止フック４３の溝４２が第二係止ピン４５に係合されると、サイドスタックテーブル１は、折畳状態となる。折畳状態では、係止フック４３がコイルばね４６により第二係止ピン４５の方向に付勢されており、折畳状態が維持されている。使用状態から折畳状態への変更は、使用状態から折畳状態への変更と逆の動作を行
えばよい。すなわち、レバー５の先端が天板２の裏面側に近づくように、レバー５を操作し、係止フック４３の溝４２と第二係止ピン４５の係合を解除することで、折畳状態から使用状態への変更が可能となる。
【００３５】
リフトアップキャスター７ａは、使用状態、折畳状態の何れにおいても、固定状態とすることが好ましい。すなわち、リフトアップキャスター７ａは、サイドスタックテーブル１を移動させる以外は、固定状態とし、移動させる場合には解除状態とすることが好ましい。
【００３６】
解除状態から固定状態への変更、固定状態から解除状態への変更は、リフトアップキャスター７ａのリフトアップレバー７１を操作することで行う。以下、図１９に基づいて、解除状態から固定状態への変更を例に説明する。図１９の上図に示すように、解除状態では、リフトアップレバー７１は、斜め上方を指しており、ストップパッド７５は、パッド面７９が車輪７４の最下部よりも上方に位置する。そのため、解除状態では、車輪７４が回転自在であり、リフトアップキャスター７ａを自由に移動させることができる。リフトアップレバー７１を押し下げると、これに連動して、ストップパッド７５が徐々に昇降する。そして、リフトアップレバー７１が斜め下方を指す固定状態の位置まで回動し固定されると、ストップパッド７５が床面と接し、車輪７４は空中に浮いた状態となる。一方、リフトアップレバー７１を押し上げると、これに連動してストップパッド７５が徐々に上昇する。そして、リフトアップレバー７１が斜め上方を指す解除状態の位置まで回動し固定されると、パッド面７９が車輪７４の最下部よりも上方に位置し、車輪７４の回動が可能となる。
【００３７】
＜作用効果＞
以上説明した実施形態に係るサイドスタックテーブル１は、レバー５の平坦部５５にレバー５の操作方向を示す表示５４として、全体として矢印をイメージさせるピクトグラムが印刷され、平坦部５５の面がサイドスタックテーブル１が折畳状態において上方を指している。そのため、特にサイドスタックテーブルが折畳状態において、レバー５の平坦部５５は使用者の目につきやすく、使用者はレバー５の存在を直ちに確認できるとともに、レバー５の操作方向も合わせて理解することができる。また、レバー５の平坦部５５は、使用者がレバー５の本体部５１を把持した際に把持した手が本体部５１から離脱するのを抑制することができる。以上により、実施形態に係るスタックテーブルによれば、従来よりも容易に使用状態又は折畳状態とすることができる。また、レバー５は、サイドスタックテーブル１の他の部品の色と異なるオレンジ色で形成されている。そのため、使用者は、レバー５の位置やレバー５の操作方法をより簡単に理解することができる。また、レバー５がプレート状であることで、レバー５の表面積が例えばレバー５が棒状の場合と比較して多くなり、レバー５がより目立つようになる。そのため、使用者は、レバー５の位置やレバー５の操作方法をより簡単に理解することができる。また、レバー５の表面積が多くなることで、把持しやすくなり、操作性も向上する。また、レバー５の本体部５１の裏面（天板２と対向する面と反対側の面）には複数の凸部５６が設けられており、滑り止め効果が発揮される。また、レバー５は、本体部５１が湾曲しており、レバー５を平面とした場合と比較して、レバー５と天板２との間の隙間を増やすことができる。その結果、例えばレバー５と天板２との間に手を挟み難くなる。
【００３８】
上記実施形態では、サイドスタックテーブルを例に説明したが、レバー５は、平行スタックテーブルにも適用可能である。
【００３９】
以上、本発明の好適な実施形態を説明したが、本発明に係るサイドスタックテーブル、及びレバーはこれらに限らず、可能な限りこれらの組合せを含むことができる。
【００４０】
例えば、上述した実施形態に係るリフトアップレバー７１に形成された球形状の窪み７７は、矩形状、多角形状等とすることができる。図２０は、変形例１に係る固定状態のリフトアップキャスターを手前側から見た斜視図を示す。変形例１では、リフトアップレバー７１に、多角形状の窪みの一例として矩形状の窪み７７が形成されている。図２１は、変形例２に係る固定状態のリフトアップキャスターを手前側から見た斜視図を示す。変形例２では、リフトアップレバー７１に、多角形状の窪みの一例として六角形の窪み７７が形成されている。図２２は、変形例３に係る固定状態のリフトアップキャスターを手前側から見た斜視図を示す。変形例３では、リフトアップレバー７１に、手前から奥へ延びる複数の直線状の溝７７が形成されている。図２３は、変形例４に係る固定状態のリフトアップキャスターを手前側から見た斜視図を示す。変形例４では、リフトアップレバー７１に、幅方向に延びる複数の直線状の溝７７が形成されている。図２４は、変形例５に係る固定状態のリフトアップキャスターを手前側から見た斜視図を示す。変形例５では、リフトアップレバー７１に、手前から奥へ延びる複数の波線状の溝７７が形成されている。図２５は、変形例６に係る固定状態のリフトアップキャスターを手前側から見た斜視図を示す。変形例６では、リフトアップレバー７１に、幅方向へ延びる複数の波線状の溝７７が形成されている。なお、窪み７７は、窪み（凹み）ではなく、リフトアップレバー７７の表面から突出した凸部でもよい。
【符号の説明】
【００４１】
１・・・サイドスタックテーブル
２・・・天板
３・・・脚
３１・・・支柱
３２・・・水平部材
３３・・・ヒンジ
４・・・ロック機構
４１・・・カバー
４２・・・溝
４３・・・係止フック
４４・・・第一係止ピン
４５・・・第二係止ピン
４６・・・コイルばね
４７・・・連結部材
４８・・・棒軸
５・・・レバー
５１・・・本体部
５２・・・基端
５３・・・先端
５４・・・表示
５５・・・平坦部
６・・・幕板
６１・・・幕板用上部ヒンジ
６２・・・幕板用支持棒
７・・・キャスター
７ａ・・・リフトアップキャスター
７１・・・リフトアップレバー
７２・・・取付ボルト
７３・・・アジャスター
７４・・・車輪
７５・・・ストップパッド
７６・・・回転軸
７７・・・窪み
【図１】
2015092905.tif 000003
【図２】
2015092905.tif 000004
【図３】
2015092905.tif 000005
【図４】
2015092905.tif 000006
【図５】
2015092905.tif 000007
【図６】
2015092905.tif 000008
【図７】
2015092905.tif 000009
【図８】
2015092905.tif 000010
【図９】
2015092905.tif 000011
【図１０】
2015092905.tif 000012
【図１１】
2015092905.tif 000013
【図１２】
2015092905.tif 000014
【図１３】
2015092905.tif 000015
【図１４】
2015092905.tif 000016
【図１５】
2015092905.tif 000017
【図１６】
2015092905.tif 000018
【図１７】
2015092905.tif 000019
【図１８】
2015092905.tif 000020
【図１９】
2015092905.tif 000021
【図２０】
2015092905.tif 000022
【図２１】
2015092905.tif 000023
【図２２】
2015092905.tif 000024
【図２３】
2015092905.tif 000025
【図２４】
2015092905.tif 000026
【図２５】
2015092905.tif 000027